(57)【要約】【課題】燃料電池搭載の携帯機器に燃料を容易且つ確実に供給する。【解決手段】燃料供給孔３を備えた容器２と、容器２内を燃料供給孔３と連通する燃料貯蔵室４と他の室５とに区画する膜６と、燃料貯蔵室４内の圧力を検出する圧力センサ１０とを備え、容器２の他の室５に燃料貯蔵室４内の体積変化を発生させるための圧縮気体７を充填して燃料供給用カートリッジ１とする。【選択図】図１
2006278270.tif 000002
【特許請求の範囲】
【請求項１】
燃料供給孔を備えた容器と、該容器内を燃料供給孔と連通する燃料貯蔵室と他の室とに区画する隔壁と、前記燃料貯蔵室内の圧力を検出する検出手段と、前記燃料貯蔵室内の体積変化を発生させる加圧手段とを有することを特徴とする燃料供給用カートリッジ。
【請求項２】
前記隔壁は、延伸可能な膜により形成すると共に、前記他の室に圧縮気体を充填してなり、前記膜と前記他の室に充填された圧縮気体とで前記加圧手段を構成したことを特徴とする請求項１に記載の燃料供給用カートリッジ。
【請求項３】
前記隔壁は、受圧部材と、該受圧部材の周囲に設けられ、前記容器との間をシールするシール部材により形成すると共に、前記他の室に圧縮気体を充填してなり、前記受圧部材及びシール部材と前記他の室に充填された圧縮気体とで前記加圧手段を構成したことを特徴とする請求項１に記載の燃料供給用カートリッジ。
【請求項４】
前記請求項１乃至請求項３のいずれか１項に記載の燃料供給用カートリッジが装着される凹部を携帯機器用の収容部に備えると共に、報知部、制御部、及び前記燃料供給用カートリッジが前記凹部に装着されたときに前記燃料貯蔵室内の圧力を検出する検出手段と電気的に接続される端子部とを有し、前記制御部は、前記凹部に燃料供給用カートリッジが装着された状態で前記検出手段からの信号を前記端子部を介して検出し、前記燃料貯蔵室内の圧力が所定値以下になると前記報知部を介して報知するように制御することを特徴とする燃料電池式携帯機器用置き台。
【請求項５】
前記燃料電池式携帯機器用置き台には、燃料供給用カートリッジが装着されると前記凹部内に保持する係合手段と、該係合手段による保持を解除する解除手段とを有し、前記制御部は、前記燃料供給用カートリッジの燃料貯蔵室内の圧力が所定値以下になると、前記解除手段を介して前記係合手段による燃料供給用カートリッジの保持を解除することを特徴とする請求項４に記載の燃料電池式携帯機器用置き台。
【発明の詳細な説明】
【技術分野】
【０００１】
本発明は、燃料供給用カートリッジ及び燃料電池式携帯機器用置き台に関する。
【背景技術】
【０００２】
近年、水素と酸素の化学反応で発電する燃料電池を電源として利用する携帯電話などの携帯機器の開発が進められている。燃料電池は、従来のリチウムイオン電池などのバッテリーを備えるものと比較して、長時間駆動が可能になるため、今後携帯機器における高画質動画の視聴などによって消費電力の増加が予測されることから燃料電池の採用が注目されている。
【０００３】
燃料電池は、従来のバッテリーのように商用電源から充電することは不要であるが、水素を生成するためのメタノール水溶液などの液体燃料を外部から補充する必要がある。このメタノール液などの液体燃料の補充については様々な方法が考えられるが、例えば、特許文献１に示されるように、携帯電話のアクセサリーとして用いられているストラップに燃料容器を設け、必要に応じて燃料容器からスポイトで燃料を携帯電話へ移し替えることが提案されている。
【特許文献１】特許第３５５０３９６号公報
【発明の開示】
【発明が解決しようとする課題】
【０００４】
しかしながら、特許文献１に示すように、スポイトを用いて燃料容器の燃料を携帯電話に移し代える作業は、スポイト自体が小さく取り扱い難いために使用者にとっては非常に手間のかかる煩わしい作業であると共に、注意深く燃料を供給しないと溢れさせてしまう可能性があり、また燃料をこぼして衣服などに付着してしまうといった課題を有していた。
【０００５】
本発明は、上記実情に鑑みてなしたもので、燃料電池搭載の携帯機器に燃料を容易且つ確実に供給するための燃料供給用カートリッジ及び燃料電池式携帯機器用置き台を提供するものである。
【課題を解決するための手段】
【０００６】
本発明は、燃料供給孔を備えた容器と、該容器内を燃料供給孔と連通する燃料貯蔵室と他の室とに区画する隔壁と、前記燃料貯蔵室内の圧力を検出する検出手段と、前記燃料貯蔵室内の体積変化を発生させる加圧手段とを有することを特徴とする燃料供給用カートリッジ、に係るものである。
【０００７】
前記燃料供給用カートリッジにおいて、前記隔壁は、延伸可能な膜により形成すると共に、前記他の室に圧縮気体を充填し、前記膜と前記他の室に充填された圧縮気体とで前記加圧手段を構成することが好ましい。
【０００８】
前記燃料供給用カートリッジにおいて、前記隔壁は、受圧部材と、該受圧部材の周囲に設けられ、前記容器との間をシールするシール部材により形成すると共に、前記他の室に圧縮気体を充填し、前記受圧部材及びシール部材と前記他の室に充填された圧縮気体とで前記加圧手段を構成することが好ましい。
【０００９】
本発明は、前記燃料供給用カートリッジが装着される凹部を携帯機器用の収容部に備えると共に、報知部、制御部、及び前記燃料供給用カートリッジが前記凹部に装着されたときに前記燃料貯蔵室内の圧力を検出する検出手段と電気的に接続される端子部とを有し、前記制御部は、前記凹部に燃料供給用カートリッジが装着された状態で前記検出手段からの信号を前記端子部を介して検出し、前記燃料貯蔵室内の圧力が所定値以下になると前記報知部を介して報知するように制御することを特徴とする燃料電池式携帯機器用置き台、に係るものである。
【００１０】
前記燃料電池式携帯機器用置き台においては、燃料供給用カートリッジが装着されると前記凹部内に保持する係合手段と、該係合手段による保持を解除する解除手段とを有し、前記制御部は、前記燃料供給用カートリッジの燃料貯蔵室内の圧力が所定値以下になると、前記解除手段を介して前記係合手段による燃料供給用カートリッジの保持を解除することが好ましい。
【発明の効果】
【００１１】
本発明の燃料供給用カートリッジによれば、燃料貯蔵室内の燃料を、何らの駆動力を要することなしに燃料供給孔を介して燃料を燃料電池式携帯機器に供給することができ、更に、燃料供給用カートリッジ内の燃料の圧力を検出できるという優れた効果を奏し得る。
【００１２】
本発明の燃料電池式携帯機器用置き台によれば、携帯機器を使用者の部屋などに飾ることができると共に、凹部に燃料供給用カートリッジを装着すると、燃料貯蔵室内の圧力に基づいて燃料残量を検出し、燃料残量が所定量以下になると燃料供給用カートリッジの交換時期であることを報知できるという優れた効果を奏し得る。
【発明を実施するための最良の形態】
【００１３】
以下、本発明の実施の形態を添付図面を参照して説明する。
【００１４】
図１は本発明における燃料供給用カートリッジの形態の一例を示すもので、該燃料供給用カートリッジ１は、適正な密閉性と圧力に耐え得る金属（ステンレス、アルミニウム、銅、鉄等の金属及びその合金）やプラスチック（ポリカーボネート、アクリル、ジュラコンなど）等の部材で形成した角柱状の容器２と、該容器２の一端側の上面に備えて後述する携帯電話などの携帯機器の燃料受口と接続が可能な燃料供給孔３と、前記容器２内部を、燃料供給孔３に連通する燃料貯蔵室４と他の室５とに区画する隔壁としての膜６とを有する。
【００１５】
前記膜６は、前記燃料供給孔３側を容器２内に固定したゴム（合成ゴムなど）や樹脂（ポリウレタン樹脂、ポリ塩化ビニル樹脂、シリコーン樹脂など）等の伸縮性と非浸透性とを有する材料で形成してあり、燃料を充填すると延伸されて前記容器２内に拡張し、燃料供給孔３を介して燃料を供給すると縮小するようになっている。
【００１６】
更に、前記他の室５には、前記燃料貯蔵室４内の体積を縮小させる方向に変化させるための窒素ガスなどの圧縮気体７を充填してある。従って、図１の形態では、前記延伸が可能な膜６と前記他の室５に充填した圧縮気体７とによって加圧手段８が構成されている。また、前記燃料供給用カートリッジ１の燃料供給孔３には、常時は閉止されており、外部からの力の作用により開動作して燃料の供給を行う弁９が備えられている。
【００１７】
前記容器２の燃料供給孔３が備えられた側の端部には、前記燃料貯蔵室４内の圧力を検出する圧力センサ１０などの検出手段が備えられている。圧力センサ１０の検出端子は燃料貯蔵室４に面しており且つ燃料からはシールされた構成を有している。更に、前記容器２には、圧力センサ１０で検出した圧力を電圧に変換する回路１１及び該回路１１に電気的に接続されたカートリッジ側端子１２が備えられている。
【００１８】
図２は、前記燃料供給用カートリッジ１の容器２内に備えられる隔壁の他の形態を示したもので、他の構成については図１の燃料供給用カートリッジ１と同様の構成を有している。図２の隔壁は、前記容器２内部を長手方向に移動が可能な硬質の板状をした受圧部材１３と、該受圧部材１３の周囲に設けられ、前記容器２との間をシールするＯリング等のシール部材１４とを備えており、前記容器２内を燃料供給孔３に連通する燃料貯蔵室４と他の室５とに区画している。そして、前記他の室５には窒素ガスなどの圧縮気体７を充填してある。従って、図２の形態では、前記受圧部材１３及びシール部材１４と前記他の室５に充填した圧縮気体７とによって加圧手段１５が構成されている。
【００１９】
図３、図４は前記容器２の燃料供給孔３に備えられる弁９の一例を示したもので、前記容器２の内部（下部）には弁座室３４を形成する弁座壁３５が設けてあり、該弁座壁３５と前記容器２を貫通するノズル本体３６を設けている。該ノズル本体３６は内部に流路３７を有する管で形成してあり、前記容器２のノズル本体３６が貫通する部分にはノズル用シール３８を設けている。
【００２０】
前記ノズル本体３６における容器２の外部（上部）位置には開放用フランジ３９が固定してあり、また、前記弁座室３４内部位置にはバネ用フランジ４０が固定してあり、更に、弁座壁３５より内部（下部）位置には前記ノズル本体３６の流路３７を閉塞する内側フランジ４１が固定してある。
【００２１】
前記バネ用フランジ４０と弁座室３４の内底部との間には、前記バネ用フランジ４０を上方に付勢するバネ４２が配置してある。そして、前記弁座室３４内における容器２の下面には前記バネ用フランジ４０が当接して密閉を行う環状の補助シール４３が設けてあり、また、前記弁座壁３５の下面には前記内側フランジ４１が当接して密閉を行う環状の密閉用シール４４が設けてある。
【００２２】
更に、前記内側フランジ４１に近い位置のノズル本体３６の周壁には燃料流入口４５を形成している。
【００２３】
また、図示しないが、後述する図５の携帯電話等の携帯機器１８の燃料セル部２０に備えられる燃料受口２１にも、前記弁９と同様に外部からの力の作用によって開動作するようにした弁を備えている。
【００２４】
以下に、図１〜図４に示した燃料供給用カートリッジの作用を説明する。
【００２５】
図１、図２の燃料供給用カートリッジ１は、容器２内の他の室５に予め窒素ガスなどの圧縮気体７を充填した状態において、燃料供給孔３を介してメタノールなどの燃料を燃料貯蔵室４内に充填する。
【００２６】
図１の燃料供給用カートリッジ１では、燃料貯蔵室４に燃料が充填されると、圧縮気体７の圧力に抗して膜６は図１の右方向に延伸されて破線で示す如く燃料貯蔵室４が拡張される。また、図２の燃料供給用カートリッジ１では、燃料貯蔵室４に燃料が充填されると、圧縮気体７の圧力に抗して受圧部材１３が図２の右方向に移動して破線で示すように燃料貯蔵室４が拡張される。
【００２７】
燃料供給用カートリッジ１の燃料貯蔵室４内に燃料が充填された状態では、図３に示す如く、ノズル本体３６の内側フランジ４１が圧縮気体７で加圧された燃料貯蔵室４内の燃料の圧力Ｐを受けて上方へ押されることによりノズル本体３６は上方へ押し付けられる。従って、内側フランジ４１は弁座壁３５の密閉用シール４４に押し付けられてシールを行うと共に、バネ用フランジ４０も容器２内面の補助シール４３に押し付けられてシールを行う。これにより、燃料流入口４５における燃料の給排は断たれ、よって容器２内の燃料が弁９から外部に供給されることはない。
【００２８】
一方、燃料供給用カートリッジ１の燃料を図５に示すような携帯電話などの携帯機器１８に供給する際には、燃料供給用カートリッジ１の燃料供給孔３を携帯機器１８に備えた燃料セル部２０の燃料受口２１に押し付けて係合させる。
【００２９】
このように燃料供給用カートリッジ１の燃料供給孔３を携帯機器１８の燃料受口２１に押し付けると、図４に示す如く開放用フランジ３９が燃料受口２１に当たって押圧されるので、ノズル本体３６はバネ用フランジ４０によりバネ４２を圧縮しながら燃料貯蔵室４内に押し込められる。すると、ノズル本体３６の燃料流入口４５は燃料貯蔵室４と連通するようになるので、前記したように圧力を有している燃料貯蔵室４内の燃料は、燃料流入口４５、流路３７を通って、前記した如く押圧によって開作動している燃料受口２１の弁（図示せず）を介して携帯機器１８の燃料セル部２０に供給される。
【００３０】
上記したように携帯機器１８への燃料の供給を行うと、燃料供給用カートリッジ１の膜６は自身で縮小すると共に前記圧縮気体７の圧力によって実線で示すように左方向へ縮小する。
【００３１】
上記燃料供給用カートリッジ１によれば、燃料供給用カートリッジ１の燃料供給孔３を携帯機器１８の燃料受口２１に押し付けて係合させるのみで、燃料貯蔵室４内の燃料を、何らの動力を要することなしに燃料供給孔３を介して携帯機器１８に供給することができる。
【００３２】
更に、前記図１、図２の燃料供給用カートリッジ１では、燃料貯蔵室４内の圧力を検出している圧力センサ１０などの検出手段からの圧力信号が回路１１で電圧に変換されてカートリッジ側端子１２に送られる。従って、カートリッジ側端子１２の電圧を検出すると燃料供給用カートリッジ１の燃料残量を知ることができる。
【００３３】
図５は図１の燃料供給用カートリッジ１を用いた本発明の燃料電池式携帯機器用置き台の一例を示すもので、この携帯機器用置き台１６は、前記燃料供給用カートリッジ１が合致して装着される上側が開放された凹部１７を有しており、更に、該凹部１７の上部には携帯電話などの携帯機器１８が合致して収容される収容部１９を有している。そして、凹部１７に前記燃料供給用カートリッジ１を装着した状態で、前記収容部１９に携帯機器１８を収容すると、前記燃料供給用カートリッジ１の燃料供給孔３が携帯機器１８に備えた燃料セル部２０の燃料受口２１に接合されて燃料セル部２０への燃料の供給が行われるようになっている。
【００３４】
前記燃料供給用カートリッジ１は、前記凹部１７の底部に設けたバネ２２を圧縮させて凹部１７内に装着すると、携帯機器用置き台１６に設けた嵌合爪２３が燃料供給用カートリッジ１端面に備える窪みに係合して該燃料供給用カートリッジ１を位置決め保持する係合手段を備えている。前記嵌合爪２３は、バネ２４で凹部１７内に所要長さで突出するよう付勢されており、更に、携帯機器用置き台１６に設けた解除ロッド２５を押すことによりレバー２６を介して前記バネ２４に抗して前記嵌合爪２３を凹部１７外に引込める解除手段を備えており、嵌合爪２３を凹部１７外に引込めると、前記燃料供給用カートリッジ１はバネ２２により凹部１７から取り出せる状態に上昇するようになっている。
【００３５】
また、前記収容部１９にも前記携帯機器１８を収容部１９に収容すると携帯機器１８に嵌合して位置決め保持するようにした嵌合爪２７が設けてあり、この嵌合爪２７も図示しないが前記燃料供給用カートリッジ１用の嵌合爪２３と同様にバネによって収容部１９内に付勢されており、携帯機器用置き台１６を一方の手でおさえながら、他方の手で携帯機器１８を持ち上げることにより取り外すことができるようになっている。
【００３６】
前記携帯機器用置き台１６の一側には、前記燃料供給用カートリッジ１を凹部１７に装着した時に燃料供給用カートリッジ１の端部に備えたカートリッジ側端子１２と接触する置き台側端子２８が備えてあり、この置き台側端子２８は携帯機器用置き台１６内部に備えた制御部２９の制御回路に接続されている。この制御部２９は、カートリッジ側端子１２からの検出電圧を一定の時間周期で検出し、予め記憶部３３に記憶された既知の電圧値と比較するようになっている。ここで、既知の電圧値は、燃料供給用カートリッジ１の膜６により燃料貯蔵室４内の燃料を燃料供給孔３から供給することができないまたは難しい燃料貯蔵室４内の圧力を電圧値に変換した値である。更に、前記制御部２９はスピーカ、ＬＣＤ、ＬＥＤ等の表示装置を含む報知部３０に接続されている。
【００３７】
従って、前記制御部２９は、カートリッジ側端子１２からの検出電圧を既知の電圧値と比較し、検出電圧が既知の電圧値以下となった場合には「燃料なし」と判断し、前記報知部３０に信号を送って、音声、表示、光の点滅等により燃料供給用カートリッジ１の燃料がなく、燃料供給用カートリッジ１の交換時期であることを報知するようになっている。
【００３８】
なお、前記携帯機器用置き台１６には、前記報知部３０、制御部２９、燃料供給用カートリッジ１に備える圧力センサ１０等の検出手段を駆動するためのバッテリー３１が備えられており、燃料供給用カートリッジ１が携帯機器用置き台１６に装着されると圧力センサ１０等の検出手段に駆動電圧が供給されるようになっている。また、上記バッテリー３１を備えることに代えてコンセントから電力を供給するようにしても構わない。
【００３９】
更に、前記記憶部３３には燃料供給用カートリッジ１の種類毎による既知の電圧値を持たせておいても良く、この場合、燃料供給用カートリッジ１にも識別番号を持たせておき、燃料供給用カートリッジ１が携帯機器用置き台１６に装着されると、前記識別番号が携帯機器用置き台１６に送られて燃料供給用カートリッジ１の既知の電圧値を記憶部３３内から特定し、特定された既知の電圧値と燃料供給用カートリッジ１の検出手段より送られる電圧値とを比較するようにしてもよく、この場合、燃料供給用カートリッジ１の種類毎に適正な判断ができ、様々な種類の燃料供給用カートリッジ１にも適用可能な携帯機器用置き台１６を提供することができる。
【００４０】
次に、図５に示した燃料電池式携帯機器用置き台１６の作用を説明する。
【００４１】
図５の燃料電池式携帯機器用置き台１６では、凹部１７に燃料供給用カートリッジ１を装着すると、カートリッジ側端子１２が置き台側端子２８と接触して電気的に接続され、これにより前記制御部２９は図７に示す制御フローにより燃料残量の検出を行い、燃料残量が少なくなって燃料供給用カートリッジ１の交換が必要になるとそれを報知部３０により報知する。
【００４２】
即ち、図７に示すように、前記制御部２９は、カートリッジ側端子１２の検出電圧を読み込んで記憶部３３の既知の電圧値と比較し、検出電圧が既知の電圧値以下となり、「燃料なし」と判断されると、報知部３０により音声、表示或いは光の点滅などによって燃料供給用カートリッジ１の交換時期であることを報知する。従って、この報知に基づいて前記解除ロッド２５を押して燃料供給用カートリッジ１の保持を解除し、燃料供給用カートリッジ１を携帯機器用置き台１６の凹部１７から取り外し、続いて新たな燃料供給用カートリッジ１を再び凹部１７に装着する。すると、制御部２９は再びカートリッジ側端子１２の検出電圧を読み込んで記憶部３３の既知の電圧値と比較し、検出電圧が既知の電圧値より高くなると、前記報知を停止する。
【００４３】
従って、上記図５の携帯機器用置き台１６によれば、燃料供給用カートリッジ１の燃料残量が所定量以下になると自動的に報知を行い、燃料供給用カートリッジ１の交換時期を適確に知らせることができる。
【００４４】
図６は前記携帯機器用置き台１６の他の形態を示したもので、図６の携帯機器用置き台１６は、燃料供給用カートリッジ１が凹部１７に装着されると嵌合爪２３を燃料供給用カートリッジ１に嵌合して位置決め保持する係合手段と、前記嵌合爪２３をバネ２４に抗して電動で押し戻すことにより燃料供給用カートリッジ１の保持を解除するアクチュエータ３２による解除手段とを備えている。アクチュエータ３２は前記制御部２９の指令によって作動するようになっている。
【００４５】
次に、図６に示した燃料電池式携帯機器用置き台１６の作用を説明する。
【００４６】
図６の燃料電池式携帯機器用置き台１６では、凹部１７に燃料供給用カートリッジ１を装着すると、カートリッジ側端子１２が置き台側端子２８に接触して電気的に接続され、これにより前記制御部２９は図８に示す制御フローに示すように、燃料残量の検出を行い、燃料残量が少なくなって燃料供給用カートリッジ交換が必要になるとそれを報知部３０により報知すると共に、嵌合爪２３による凹部１７に対する燃料供給用カートリッジ１の保持を解除するようになっている。
【００４７】
即ち、図８に示すように、制御部２９は、カートリッジ側端子１２の検出電圧を読み込んで記憶部３３の既知の電圧値と比較し、検出電圧が既知の電圧値以下となり、「燃料なし」と判断されると、報知部３０により音声、表示或いは光の点滅などによって燃料供給用カートリッジ１の交換時期であることを報知すると共に、アクチュエータ３２を作動して燃料供給用カートリッジ１の窪みに係合する嵌合爪２３を引き込めて燃料供給用カートリッジ１の凹部に対する保持を解除する。従って、燃料供給用カートリッジ１を携帯機器用置き台１６から取り外し、続いて新たな燃料供給用カートリッジ１を凹部１７に装着する。すると、制御部２９は再びカートリッジ側端子１２の検出電圧を読み込んで記憶部３３の既知の電圧値と比較し、検出電圧が既知の電圧値より高くなると、前記報知を停止すると共に、アクチュエータ３２を作動して引込めた嵌合爪２３を燃料供給用カートリッジ１の窪みに係合させて燃料供給用カートリッジ１を凹部１７内に保持する。
【００４８】
従って、上記図６の携帯機器用置き台１６によれば、燃料供給用カートリッジ１の燃料残量が所定量以下になると自動的に報知して燃料供給用カートリッジ１の交換時期であることを知らせると共に、燃料供給用カートリッジ１の保持を自動的に解除することができる。
【００４９】
なお、本発明の燃料供給用カートリッジ及び燃料電池式携帯機器用置き台は上記形態にのみ限定されるものではなく、本発明の要旨を逸脱しない範囲内において種々変更を加え得ることは勿論である。例えば、本発明の燃料電池式携帯機器用置き台１６においては、「燃料なし」を判断する既知の電圧値を記憶部３３に記憶させるようにしたが、段階的に燃料貯蔵室４内の圧力を検知する、複数の既知の電圧値を持たせておき、各段階における既知の電圧値となった時に報知部３０よりそれぞれ異なる報知をさせるようにしても良く、このように段階的に複数の既知の電圧値を持たせることで、燃料がフル状態なのか、燃料が半分になったのかといったことを使用者に段階的に知らせることができる。
【図面の簡単な説明】
【００５０】
【図１】本発明に係る燃料供給用カートリッジの一例を示す概略断面図である。
【図２】本発明に係る燃料供給用カートリッジの他の例を示す概略断面図である。
【図３】燃料供給用カートリッジの燃料供給孔に備えた弁の一例を示す断面図である。
【図４】図３の弁が開作動した状態を示す断面図である。
【図５】本発明に係る携帯機器用置き台の一例を示す概略断面図である。
【図６】本発明に係る携帯機器用置き台の他の例を示す概略断面図である。
【図７】図５の形態の制御フロー図である。
【図８】図６の形態の制御フロー図である。
【符号の説明】
【００５１】
１  燃料供給用カートリッジ
２  容器
３  燃料供給孔
４  燃料貯蔵室
５  他の室
６  膜（隔壁）
７  圧縮気体
８  加圧手段
１０  圧力センサ（検出手段）
１１  回路（検出手段）
１２  カートリッジ側端子（検出手段）
１３  受圧部材
１４  シール部材
１５  加圧手段
１６  携帯機器用置き台
１７  凹部
１８  携帯機器
１９  収容部
２３  嵌合爪（係合手段）
２５  解除ロッド（解除手段）
２７  嵌合爪（係合手段）
２８  置き台側端子（端子部）
２９  制御部
３０  報知部
３２  アクチュエータ（解除手段）
【図１】
2006278270.tif 000003
【図２】
2006278270.tif 000004
【図３】
2006278270.tif 000005
【図４】
2006278270.tif 000006
【図５】
2006278270.tif 000007
【図６】
2006278270.tif 000008
【図７】
2006278270.tif 000009
【図８】
2006278270.tif 000010